(57)【特許請求の範囲】
【請求項１】
着座手段と、前記着座手段に着座した入浴者の身体に沿うように噴出形状の異なるノズルが複数設けられた温水噴出手段と、前記温水噴出手段を回転させる回転手段と、回転角度を検出する角度検出手段と、噴出させるノズルを切り換える噴出操作手段を備えたシャワー装置。
【請求項２】
着座した入浴者の身体に沿うように設けられた温水噴出手段には、水滴を円錐状に噴出する円錐ノズルと、線状に噴出する線状ノズルを備え、温水噴出手段を回転手段により回転する際の、回転角度を検出する角度検出手段と、角度検出手段からの検出信号に基づいて噴出制御信号を出力する噴出制御手段と、前記噴出制御信号を受けて、円錐ノズルからの噴出と線状ノズルからの噴出を切り換える噴出操作手段を備えた請求項１に記載のシャワー装置。
【請求項３】
着座した入浴者の身体に沿うように設けられた温水噴出手段には、入浴者の身体を洗うための身体用ノズルのほかに頭部を洗うための洗髪用ノズルを備えるものとし、温水噴出手段を回転手段により回転する際の、回転角度を検出する角度検出手段と、角度検出手段からの検出信号に基づいて噴出制御信号を出力する噴出制御手段と、前記噴出制御信号を受けて、身体用ノズルからの噴出と洗髪用ノズルからの噴出を切り換える噴出操作手段を備えた請求項１に記載のシャワー装置。
【発明の詳細な説明】
【０００１】
【産業上の利用分野】
本発明はシャワー装置で、特に座姿勢でシャワーを利用する装置に関するものである。
【０００２】
【従来の技術】
従来のこの種類のシャワー装置は、入浴室内に固定された椅子を有し、この椅子に座る入浴者の回りにボディシャワー等の温水噴出ノズルを備え、座姿勢で身体を包み込むようにシャワー入浴できるものが考案されている（例えば、特開平５−７６４５９号公報）。また、シャワーノズルは固定またはノズル角度を可変できるもの等が類似で考案されている（例えば実開平２−２６５９１号公報）。またノズル種類も様々なものが考案されている。また洗髪にはハンドシャワーまあは天井近くに設けられた洗髪用シャワーヘッドが用いられる。
【０００３】
【発明が解決しようとする課題】
このようなシャワー装置を用いて入浴する場合、次のような不具合が発生する。すなわち、入浴者が身体に合わせてノズル位置を可変させることはできない。
【０００４】
また、全身を洗う際のノズル位置および噴出形態と、部分的に水流マッサージ等を行う際のノズル位置および噴出形態は異なるため、変更を必要とする。しかしながら従来のシャワー装置ではこれらの変更は、独立的に人手で行っていた。ノズル位置は、肩より上または膝より下にある場合もあり、高齢者になると手が上がりにくい、かがむ姿勢を必要とするなど、これらの変更動作は容易ではなかった。
【０００５】
また、洗髪用のノズル位置および噴出形態と、身体用ノズル位置および噴出形態は異なるため、変更を必要とする。しかしながら従来のシャワー装置ではこれらの変更は、独立的に人手で行っていた。
【０００６】
本発明は、上記の課題を解決することで、入浴行為に適応したシャワーが使用できる、快適な座姿勢のシャワー浴を提供する事を目的とする。
【０００７】
【課題を解決するための手段】
本発明は上記の目的を達成するために、第１の構成として、着座した入浴者の周囲にノズルをノズル支持パイプで固定・配置し、この支持パイプを入浴者を中心に回転できることとした。
【０００８】
また第２の構成として、温水噴出ノズルに水滴を円錐形状に噴出する円錐ノズルと、線条に噴出する線条ノズルの２種類のものを備え、これを支持パイプ角度により、自動的に切り換えられることとした。
【０００９】
また第３の構成として、身体用のノズルとは別に頭部を包み込むように設けられた洗髪用ノズルを備え、これを支持パイプ角度により、自動的に切り換えられることとした。
【００１０】
【作用】
本発明は上記第１の構成によって、ノズル支持パイプを回転させることにより身体への噴出温水流のあたり方を調整することができる。
【００１１】
第２の構成によれば、ノズル支持パイプの角度に合わせて、自動的に適切なノズル種類からの噴出水流に切り換えることができる。
【００１２】
第３の構成によれば、頭部を洗う際の身体の邪魔にならない位置にノズル支持パイプを動かし、この動きに合わせて自動的に身体用ノズルから、洗髪用ノズルに切り換えることができる。
【００１３】
【実施例】
以下、本発明の実施例について、図１〜図５を用いて説明する。
【００１４】
図１は、本発明の一実施例における立面図である。バスタブ２が設けられた浴室１内に、着座用椅子３が設置されている。この椅子に着座した入浴者の身体に沿って、温水噴出手段６であるノズル支持パイプ４と同パイプに固定されたノズル５が、回転手段７によって支持されている。ノズル支持パイプ４は回転手段７により手動または電動で回転できる。
【００１５】
以下、上記構成における作用について説明する。入浴者は座姿勢のシャワー入浴の際、椅子３に着座し、ノズル５から噴出される温水でシャワー浴する。着座の際、ノズル支持パイプ４を回転させ着座行為の妨げにならない位置に回転させる。またシャワーの噴出方向を身体の側面主体に、または正面主体に位置・方向調整することも、同様にノズル支持パイプ４を回転させることでできる。
【００１６】
次に第２の実施例について図２・図３を用いて説明する。図２は立面図である。着座用椅子３に着座した入浴者の身体に沿って、ノズル支持パイプ４が回転手段７によって支持されている。ノズル支持パイプ４には水滴を円錐状に噴出する円錐ノズル５と水滴を線条に噴出する線条ノズル８が固定されている。
【００１７】
図３は制御の構成を示す概念図である。この図を用いて上記構成における作用について説明する。回転手段７により回転した際の回転角度を角度検出手段９により、検出し、検出信号を出力する。この信号に基づいて噴出制御手段としてのマイクロコンピュータ１０が、制御信号を噴出操作手段としての電動三方弁１１に印加され、電動三方弁１１は制御信号に応じて円錐ノズル５と線条ノズル８への温水流を切り換える。
【００１８】
次に第３の実施例について図４・図５を用いて説明する。図４は立面図である。着座用椅子３に着座した入浴者の身体に沿ってノズル支持パイプ４が回転手段７によって支持されている。ノズル支持パイプ４には身体用ノズル５と洗髪用ノズル１２が固定されている。
【００１９】
図５は制御の構成を示す概念図である。この図を用いて上記構成における作用について説明する。回転手段７により回転した際の回転角度を角度検出手段９により検出し、検出信号を出力する。この信号に基づいて噴出制御手段としてのマイクロコンピュータ１０が、制御信号を噴出操作手段としての電動三方弁１１に出力を出し、電動三方弁１１は制御信号に応じて身体用ノズル５と洗髪用ノズル１２への温水を切り換える。
【００２０】
【発明の効果】
以上のように本発明によれば次の効果が得られる。
【００２１】
（１）ノズル支持パイプを回転させることにより身体への噴出温水流のあたり方を調整することができるので、入浴者の好みに応じたシャワー浴が実現できる。
【００２２】
（２）ノズル支持パイプの角度に合わせて、自動的に適切なノズル種類からの噴出温水流に切り換えることができるので、人手を煩わせない。
【００２３】
（３）頭部を洗う際の身体の邪魔にならない位置にノズル支持パイプを動かし、この動きに合わせて自動的に身体用ノズルから、洗髪用ノズルに切り換えることができるので、入浴行為に適応した快適なシャワー浴を実現できる。
【図面の簡単な説明】
【図１】  本発明の一実施例におけるシャワー装置の立面図
【図２】  本発明の第２の実施例におけるシャワー装置の立面図
【図３】  同シャワー装置の制御構成図
【図４】  本発明の第３の実施例におけるシャワー装置の立面図
【図５】  同シャワー装置の制御構成図
【符号の説明】
１  浴室
３  着座手段
４  ノズル支持パイプ
５  身体用ノズル（円錐ノズル）
６  温水噴出手段
７  回転手段
８  身体用ノズル（線条ノズル）
９  角度検出手段
１０  噴出制御手段
１１  噴出操作手段（電動三方弁）
１２  洗髪用ノズル
【図１】
0003717966.tif 000002
【図２】
0003717966.tif 000003
【図３】
0003717966.tif 000004
【図４】
0003717966.tif 000005
【図５】
0003717966.tif 000006